(57)【要約】【課題】複数の映像信号を受信し表示する表示装置において、受信している各映像信号が１つの映像信号源からの映像信号と判断できる場合には少ない操作で複数映像信号の同時表示に切り替えることができる映像表示装置を提供すること。【解決手段】受信した映像信号を表示する表示装置において、・複数の映像信号を受信する複数映像受信手段と、・該複数映像受信手段が受信した映像が同一信号源からの映像信号かどうかを判定する判定手段と、を備え、・該判定手段の判定結果に応じて該複数映像受信手段が受信した１つの映像信号を表示する第１の表示方法と受信した２つ以上の映像を同時に表示する第２の表示方法を切り替える優先度を変更することを特徴する。【選択図】図１
2019129471.tif 000002
【特許請求の範囲】
【請求項１】
受信した映像信号を表示する表示装置において、
映像信号を受信する複数の映像受信手段と、
該映像受信手段が受信した複数の映像が同一信号源からの映像信号かどうかを判定する判定手段と、
を備え、
該判定手段の判定結果に応じて該映像受信手段が受信した１つの映像信号を表示する第１の表示方法と、受信した２つ以上の映像を同時に表示する第２の表示方法を切り替える優先度を変更するよう制御する制御手段を有することを特徴とする表示装置。
【請求項２】
前記判定手段は、受信する複数の映像信号の画素値の隣接度合を検知することを特徴とする請求項１に記載の表示装置。
【請求項３】
前記判定手段は、受信する複数の映像信号の同期信号の位相差を検知することを特徴とする請求項１又は請求項２に記載の表示装置。
【請求項４】
前記制御手段は、第１の表示方法と第２の表示方法のいずれかを選択するための選択画面における選択肢の表示順を前記優先度に基づき変更することを特徴とする請求項１乃至請求項３の何れか一項に記載の表示装置。
【請求項５】
前記制御手段は、第１の表示方法と第２の表示方法のいずれかを選択するために複数の映像受信手段を順番に映像信号の選択手段画面における選択肢の表示順を前記優先度に基づき変更することを特徴とする請求項１乃至請求項３の何れか一項に記載の表示装置。
【請求項６】
受信した映像信号を表示する表示制御方法であって、
複数の映像信号を受信する映像受信ステップと、
該映像受信ステップで受信した複数の映像が同一信号源からの映像信号かどうかを判定する判定ステップと、
を備え、
該判定ステップの判定結果に応じて該映像受信ステップで受信した１つの映像信号を表示する第１の表示方法と、受信した２つ以上の映像を同時に表示する第２の表示方法を切り替える優先度を変更するよう制御する制御ステップを有することを特徴とする表示制御方法。
【発明の詳細な説明】
【技術分野】
【０００１】
本発明は、映像表示装置に関し、特に複数の映像受信手段を備える映像表示装置に関する。
【背景技術】
【０００２】
映像信号を表示するＬＣＤディスプレイや液晶プロジェクタなどの映像表示装置では複数の映像受信ＩＦを備えているものが多い。映像受信ＩＦとは、ＶＧＡ、コンポーネント、コンポジット、ＤＶＩ、最近ではＨＤＭＩ（登録商標）、ＤｉｓｐｌａｙＰｏｒｔ（登録商標、以下ＤＰ）、ＳＤＩなどである。映像表示装置は複数の映像受信ＩＦを搭載することにより複数台の映像送信機と接続することができる。この場合、映像表示装置の利用者は、ケーブルの挿抜を行わずに映像表示装置側のリモコンを操作するなどして、複数台の映像送信機からの映像信号を切り替えて映像表示装置に表示させることができ、利便性が高い。
映像送信機から伝送された映像信号は、その信号プロトコルに対応する各種映像信号受信レシーバ（映像表示装置内）によって受信処理がされる。
【０００３】
例えばＨＤＭＩのようなデジタル信号の場合、図２（ａ）で示すように映像送信機と映像表示装置間はＨＤＭＩ専用のプロトコル（ＴＭＤＳ信号）で伝送され、映像表示装置内のＨＤＭＩ受信回路でデジタル映像信号へ変換され画像処理エンジンへ伝送される。
【０００４】
また、ＶＧＡのようなアナログ信号の場合、図２（ｂ）で示すように映像送信機から伝送されたアナログ映像信号は、映像表示装置内のアナログ映像信号受信回路でデジタル信号に変換され画像処理エンジンへ伝送される。
【０００５】
映像表示装置は変換した映像信号の信号情報（垂直周波数情報や解像度、ＰｉｘｅｌＣｌｏｃｋなど）を測定する回路を備えていることが一般的であり、画像処理エンジンはこれらの信号情報を基に画像処理エンジン内部を動作させる。
【０００６】
表示装置の中には、受信している複数の映像の内１つの映像を表示するシングル表示が一般的だが、図３（ａ）や図３（ｂ）で示すように複数の映像信号を同時に表示するマルチ表示の機能を有するものもある。
【０００７】
特許文献１には、受信している映像信号情報と表示方法から入力信号の状態を判断しＯＳＤなどを用いてユーザに対して、入力されている映像信号の状態を提示する方法が開示されている。
【先行技術文献】
【特許文献】
【０００８】
【特許文献１】特開２０１４−１３４７５５号公報
【発明の概要】
【発明が解決しようとする課題】
【０００９】
表示装置が受信している複数の映像信号をユーザが切り替えて表示する場合、リモコンの入力切り替えボタンを連続して押下して切り替えることが多い。この場合、ボタン押下に応じて表示する映像が、入力映像１→入力映像２→入力映像３→入力映像４→入力映像１＆２→入力映像３＆４→入力映像１＆２＆３＆４と切り替わり、入力映像１＆２＆３＆４の後に再度入力映像１に切り替わる。その様子を示したのが図３（ｃ）である。ユーザが入力映像１＆２を表示したい場合にはボタンを５回押下しなくてはならなく操作性が良くない。
【００１０】
そこで、本発明の目的は、複数の映像信号を受信し表示する表示装置において、受信している各映像信号が１つの映像信号源からの映像信号であると判断できる場合には少ない操作で複数映像信号の同時表示に切り替えることができる映像表示装置を提供することにある。
【課題を解決するための手段】
【００１１】
上記の目的を達成するために、本発明に係る映像表示装置は、
受信した映像信号を表示する表示装置において、
・複数の映像信号を受信する複数映像受信手段と、
・該複数映像受信手段が受信した映像が同一信号源からの映像信号かどうかを判定する判定手段と、
を備え、
・該判定手段の判定結果に応じて該複数映像受信手段が受信した１つの映像信号を表示する第１の表示方法と受信した２つ以上の映像を同時に表示する第２の表示方法を切り替える優先度を変更する
ことを特徴とする。
【発明の効果】
【００１２】
本発明に係る映像表示装置によれば、複数の映像信号を受信し表示する表示装置において、受信している各映像信号が１つの映像信号源からの映像信号であると判断できる場合には少ない操作で複数映像信号の同時表示に切り替えることができる。
【図面の簡単な説明】
【００１３】
【図１】全体接続図
【図２（ａ）】背景技術説明図
【図２（ｂ）】背景技術説明図
【図３（ａ）】表示レイアウト図
【図３（ｂ）】表示レイアウト図
【図３（ｃ）】表示レイアウト図
【図４（ａ）】ブロック図
【図４（ｂ）】ブロック図
【図４（ｃ）】ブロック図
【図５（ａ）】液晶プロジェクタ動作フロー
【図５（ｂ）】液晶プロジェクタ動作フロー
【図５（ｃ）】液晶プロジェクタ動作フロー
【図６（ａ）】レイアウト例図
【図６（ｂ）】レイアウト例図
【図６（ｃ）】レイアウト例図
【図６（ｄ）】レイアウト例図
【図６（ｅ）】レイアウト例図
【図６（ｆ）】レイアウト例図
【図６（ｇ）】レイアウト例図
【図７（ａ）】入力選択ＯＳＤ
【図７（ｂ）】入力選択ＯＳＤ
【図７（ｃ）】入力選択ＯＳＤ
【図７（ｄ）】入力選択ＯＳＤ
【図７（ｅ）】入力選択ＯＳＤ
【図７（ｆ）】入力選択ＯＳＤ
【図７（ｇ）】入力選択ＯＳＤ
【図７（ｈ）】入力選択ＯＳＤ
【図７（ｉ）】入力選択ＯＳＤ
【図７（ｊ）】入力選択ＯＳＤ
【図７（ｋ）】入力選択ＯＳＤ
【図７（ｌ）】入力選択ＯＳＤ
【図８（ａ）】複数信号の位相差を示す図
【図８（ｂ）】複数信号の位相差を示す図
【図８（ｃ）】複数信号の位相差を示す図
【図８（ｄ）】複数信号の位相差を示す図
【発明を実施するための形態】
【００１４】
以下、図面を参照して本発明の実施例を詳細に説明するが、この発明は以下の実施の形態に限定さるものではない。
【実施例１】
【００１５】
本実施例では、映像表示装置の一例として、液晶プロジェクタについて説明する。
【００１６】
液晶プロジェクタには、単板式、３板式などが一般に知られているが、どちらの方式であっても良い。また投影型表示装置としてはＤＭＤ（Ｄｉｇｉｔａｌ  Ｍｉｒｒｏｒ  Ｄｅｖｉｃｅ）などの表示デバイスを用いたＤＬＰプロジェクタでも同様の効果が得られる。また液晶プロジェクタを例にあげているが直視型のディスプレイでも同様の効果が得られる。
【００１７】
本実施例の液晶プロジェクタは、表示するべき画像に応じて、液晶素子の光の透過率を制御して、液晶素子を透過した光源からの光をスクリーンに投影することで、画像をユーザに提示する。特に、複数の映像を受信でき、さらに受信した１つの信号を表示するシングル表示と複数の信号を同時に表示するマルチ表示を切り替える液晶プロジェクタについて以下に説明する。 
【００１８】
＜全体構成＞
まず、図１で各種映像出力装置と本実施例の液晶プロジェクタ１００の接続関係を示す。液晶プロジェクタ１００は４つの映像出力装置（メディアプレイヤ２０１、ネットワークカメラ２０２、自動車型の映像出力装置２０３、パーソナルコンピュータ２０４）と映像ケーブルを介して接続している。図４（ａ）を用いて、本実施例の液晶プロジェクタ１００の全体構成を説明する。
【００１９】
図４（ａ）は、本実施例の液晶プロジェクタ１００の全体の構成を示す図である。本実施例の液晶プロジェクタ１００は、ＣＰＵ１１０、ＲＯＭ１１１、ＲＡＭ１１２、操作部１１３、画像入力部１３０、画像処理部１４０を有する。液晶プロジェクタ１００は、さらに、液晶制御部１５０、液晶素子１５１Ｒ、１５１Ｇ、１５１Ｂ、光源制御部１６０、光源１６１、色分離部１６２、色合成部１６３、光学系制御部１７０、投影光学系１７１、内部バス１９９を有する。液晶プロジェクタ１００は、さらに、記録再生部１９１、記録媒体１９２、通信部１９３、撮像部１９４、表示制御部１９５、表示部１９６を有していてもよい。以下各構成部について説明する。
【００２０】
ＣＰＵ１１０は、液晶プロジェクタ１００の各動作ブロックを制御するものである。ＲＯＭ１１１は、ＣＵＰ１１０の処理手順を記述した制御プログラムを記憶するためのものである。ＲＡＭ１１２は、ワークメモリとして一時的に制御プログラムやデータを格納するものである。また、ＣＰＵ１１０は、記録再生部１９１により記録媒体１９２から再生された静止画データや動画データを一時的にＲＡＭ１１２に記憶し、ＲＯＭ１１１に記憶されたプログラムを用いて、それぞれの画像や映像を再生したりすることもできる。また、ＣＰＵ１１０は、通信部１９３より受信した静止画データや動画データを一時的にＲＡＭ１１２に記憶し、ＲＯＭ１１１に記憶されたプログラムを用いて、それぞれの画像や映像を再生したりすることもできる。また、撮像部１９４により得られた画像や映像を一時的にＲＡＭ１１２に記憶し、ＲＯＭ１１１に記憶されたプログラムを用いて、静止画データや動画データに変換して記録媒体１９２に記録させることもできる。
【００２１】
操作部１１３は、ユーザの指示を受け付け、ＣＰＵ１１０に指示信号を送信するものであり、例えば、スイッチやダイヤル、表示部１９６上に設けられたタッチパネルなどからなる。また、操作部１１３は、例えば、リモコンからの信号を受信する信号受信部（赤外線受信部など）で、受信した信号に基づいて所定の指示信号をＣＰＵ１１０に送信するものであってもよい。また、ＣＰＵ１１０は、操作部１１３や、通信部１９３から入力された制御信号を受信して、液晶プロジェクタ１００の各動作ブロックを制御する。
【００２２】
画像入力部１３０は、外部装置から映像信号を受信するものであり、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ端子、ＤＰ端子等を含む。アナログ映像信号を受信した場合には、受信したアナログ映像信号をデジタル映像信号に変換し、ＨＤＭＩなどのデジタルのシリアルデータはパラレルのデジタル映像信号に変換し、変換した映像信号を画像処理部１４０に送信する。ここで、外部装置は、映像信号を出力できるものであれば、パーソナルコンピュータ、カメラ、携帯電話、スマートフォン、ハードディスクレコーダ、ゲーム機など、どのようなものであってもよい。本実施例では図１で示すように、メディアプレイヤ２０１、ネットワークカメラ２０２、自動車型映像出力装置２０３、パーソナルコンピュータ２０４が外部装置である。
【００２３】
図４（ｂ）を用いて本実施例における画像入力部１３０の特徴的な構成について説明する。
【００２４】
図４（ｂ）で示すように本実施例では、画像入力部１３０はＨＤＭＩの映像入力端子１３１と受信回路１３２を夫々４つ、バス制御部１３３持つ。
【００２５】
映像入力端子１３１は受信回路１３２と各々接続されている。受信回路１３２では受信したＴＭＤＳ信号をデジタルのパラレル映像信号に変換する。また、受信回路１３２は受信した映像信号の解像度や周波数、色空間やビット深度などのフォーマット情報を測定する回路やＡＶＩＩｎｏｆＦｒａｍｅなどの補助情報を取得する回路を備える。また受信回路１３２は映像を伝送してきた信号源の情報を取得する機能を備える。なお、本実施例では受信回路１３２からの出力はデジタルのパラレル映像信号としているがＬＶＤＳなどのシリアル信号伝送プロトコルでも良い。本実施例では入力を４つとしているが２つ以上であれば良い。
【００２６】
バス制御部１３３は、デジタルのパラレル映像信号を内部バスへのバス変換を行う。また、ＣＰＵ１１１からの後述するシングル表示やマルチ表示やクアッド表示の指示に伴いバス１９９へ伝送する映像信号の切り替え制御も行う。ＨＤＭＩ１やＨＤＭＩ２をシングル表示する場合は選択された映像信号だけをバス１９９に伝送する。ＨＤＭＩ１とＨＤＭＩ２またはＨＤＭＩ３とＨＤＭＩ４のマルチ表示の場合は選択された２つの映像信号をバス１９９に伝送する。ＨＤＭＩ１とＨＤＭＩ２とＨＤＭＩ３とＨＤＭＩ４のクアッド表示の場合は選択された４つの映像信号をバス１９９に伝送する。本実施例では選択された映像だけをバス制御部１３３に伝送しているが、映像選択は後段の画像処理部１４０などで行っても良い。また、バス制御部１３３は受信回路１３２から伝送された映像信号を解析も行う。この解析は、入力される各映像信号の同期信号の位相差検出や、各映像信号の端々の映像が連続しているかどうかを検出する画像解析である。詳細は後述する。
【００２７】
本実施例では、メディアプレイヤ２０１と１３１ａが、ネットワークカメラ２０２と１３１ｂが、自動車型映像出力装置２０３と１３１ｃが、パーソナルコンピュータ２０４と１３１ｄが接続している。
【００２８】
画像処理部１４０は、レイアウト情報を基に映像入力部１３０で受信し内部バス１９９を介して伝送された映像信号を配置する。さらに画像処理部１４０は、フレーム数、画素数、画像形状などの変更処理を施して、液晶制御部１５０に送信する。画像処理部１４０は、例えば画像処理用のマイクロプロセッサから構成される。また、画像処理部１４０は、専用のマイクロプロセッサである必要はなく、例えば、ＲＯＭ１１１に記憶されたプログラムによって、ＣＰＵ１１０が画像処理部１４０と同様の処理を実行しても良い。画像処理部１４０は、レイアウト配置処理、フレーム間引き処理、フレーム補間処理、解像度変換処理、歪み補正処理（キーストン補正処理）、画像の移動や回転などのアフィン変換といった機能を実行することが可能である。また画像処理部１４０は、液晶制御部１５０に出力する映像信号に対して変形処理を行うことが可能である。レイアウト配置処理とは、映像入力部１３０から内部バス１９９を介して伝送された映像を図６（ｂ）や図６（ｃ）や図６（ｄ）で示すように配置することである。
【００２９】
画像処理部１４０は、映像入力部１３０から受信した映像信号以外にも、ＣＰＵ１１０によって再生された画像や映像に対して前述の処理を施すこともできる。なお上述した画像処理は例えば図６（ｂ）で示すＨＤＭＩ１とＨＤＭＩ２のＰｂｙＰ表示の場合、両映像に一括してかけても、両映像で個別にかけてもよい。
【００３０】
液晶制御部１５０は、画像処理部１４０で処理の施された映像信号に基づいて、液晶素子１５１Ｒ、１５１Ｇ、１５１Ｂの画素の液晶に印可する電圧を制御して、液晶素子１５１Ｒ、１５１Ｇ、１５１Ｂの透過率を調整するものであり、制御用のマイクロプロセッサからなる。また、液晶制御部１５０は、専用のマイクロプロセッサである必要はなく、例えば、ＲＯＭ１１１に記憶されたプログラムによって、ＣＰＵ１１０が液晶制御部１５０と同様の処理を実行しても良い。たとえば、画像処理部１４０に映像信号が入力されている場合、液晶制御部１５０は、画像処理部１４０から１フレームの画像を受信する度に、画像に対応する透過率となるように、液晶素子１５１Ｒ、１５１Ｇ、１５１Ｂを制御する。液晶素子１５１Ｒは、赤色に対応する液晶素子であって、光源１６１から出力された光のうち、色分離部１６２で赤色（Ｒ）、緑色（Ｇ）、青色（Ｂ）に分離された光のうち、赤色の光の透過率を調整するためのものである。液晶素子１５１Ｇは、緑色に対応する液晶素子であって、光源１６１から出力された光のうち、色分離部１６２で赤色（Ｒ）、緑色（Ｇ）、青色（Ｂ）に分離された光のうち、緑色の光の透過率を調整するためのものである。液晶素子１５１Ｂは、青色に対応する液晶素子であって、光源１６１から出力された光のうち、色分離部１６２で赤色（Ｒ）、緑色（Ｇ）、青色（Ｂ）に分離された光のうち、青色の光の透過率を調整するためのものである。
【００３１】
光源制御部１６０は、光源１６１のオン／オフを制御や光量の制御をするものであり、制御用のマイクロプロセッサからなる。また、光源制御部１６０は、専用のマイクロプロセッサである必要はなく、例えば、ＲＯＭ１１１に記憶されたプログラムによって、ＣＰＵ１１０が光源制御部１６０と同様の処理を実行しても良い。また、光源１６１は、不図示のスクリーンに画像を投影するための光を出力するものであり、例えば、ハロゲンランプ、キセノンランプ、高圧水銀ランプなどであっても良い。また、色分離部１６２は、光源１６１から出力された光を、赤色（Ｒ）、緑色（Ｇ）、青色（Ｂ）に分離するものであり、例えば、ダイクロイックミラーやプリズムなどからなる。なお、光源１６１として、各色に対応するＬＥＤ等を使用する場合には、色分離部１６２は不要である。また、色合成部１６３は、液晶素子１５１Ｒ、１５１Ｇ、１５１Ｂを透過した赤色（Ｒ）、緑色（Ｇ）、青色（Ｂ）の光を合成するものであり、例えば、ダイクロイックミラーやプリズムなどからなる。そして、色合成部１６３により赤色（Ｒ）、緑色（Ｇ）、青色（Ｂ）の成分を合成した光は、投影光学系１７１に送られる。このとき、液晶素子１５１Ｒ、１５１Ｇ、１５１Ｂは、画像処理部１４０から入力された画像に対応する光の透過率となるように、液晶制御部１５０により制御されている。そのため、色合成部１６３により合成された光は、投影光学系１７１によりスクリーンに投影されると、画像処理部１４０により入力された画像に対応する画像がスクリーン上に表示されることになる。なお、本実施例において、投射画像はスクリーンに投射される。
【００３２】
光学系制御部１７０は、投影光学系１７１を制御するものであり、制御用のマイクロプロセッサからなる。また、光学系制御部１７０は、専用のマイクロプロセッサである必要はなく、例えば、ＲＯＭ１１１に記憶されたプログラムによって、ＣＰＵ１１０が光学系制御部１７０と同様の処理を実行しても良い。また、投影光学系１７１は、色合成部１６３から出力された合成光をスクリーンに投影するためのものであり、複数のレンズ駆動用のアクチュエータからなり、レンズをアクチュエータにより駆動することで、投影画像の拡大、縮小、焦点調整などを行うことができる。
【００３３】
記録再生部１９１は、記録媒体１９２から静止画データや動画データを再生したり、また、撮像部１９４により得られた画像や映像の静止画データや動画データをＣＰＵ１１０から受信して記録媒体１９２に記録したりするものである。また、通信部１９３より受信した静止画データや動画データを記録媒体１９２に記録しても良い。記録再生部１９１は、例えば、記録媒体１９２と電気的に接続するインタフェースや記録媒体１９２と通信するためのマイクロプロセッサからなる。また、記録再生部１９１には、専用のマイクロプロセッサを含む必要はなく、例えば、ＲＯＭ１１１に記憶されたプログラムによって、ＣＰＵ１１０が記録再生部１９１と同様の処理を実行しても良い。また、記録媒体１９２は、静止画データや動画データ、その他、本実施例の液晶プロジェクタに必要な制御データなどを記録することができるものであり、磁気ディスク、光学式ディスク、半導体メモリなどのあらゆる方式の記録媒体であってよく、着脱可能な記録媒体であっても、内蔵型の記録媒体であってもよい。
【００３４】
通信部１９３は、外部機器からの制御信号や静止画データ、動画データなどを受信するためのものであり、例えば、無線ＬＡＮ、有線ＬＡＮ、ＵＳＢ、Ｂｌｕｅｔｏｏｔｈ（登録商標）などであってよく、通信方式を特に限定するものではない。また、画像入力部１３０の端子が、例えばＨＤＭＩ端子であれば、その端子を介してＣＥＣ通信を行うものであっても良い。ここで、外部装置は、液晶プロジェクタ１００と通信を行うことができるものであれば、パーソナルコンピュータ、カメラ、携帯電話、スマートフォン、ハードディスクレコーダ、ゲーム機、リモコンなど、どのようなものであってもよい。
【００３５】
撮像部１９４は、本実施例の液晶プロジェクタ１００の周辺を撮像して画像信号を取得するものであり、投影光学系１７１を介して投影された画像を撮影（スクリーン方向を撮影）することができる。撮像部１９４は、得られた画像や映像をＣＰＵ１１０に送信し、ＣＰＵ１１０は、その画像や映像を一時的にＲＡＭ１１２に記憶し、ＲＯＭ１１１に記憶されたプログラムに基づいて、静止画データや動画データに変換する。撮像部１９４は、被写体の光学像を取得するレンズを駆動するアクチュエータ、アクチュエータを制御するマイクロプロセッサ、レンズを介して取得した光学像を画像信号に変換する撮像素子、撮像素子により得られた画像信号をデジタル信号に変換するＡＤ変換部などからなる。また、撮像部１９４は、スクリーン方向を撮影するものに限らず、例えば、スクリーンと逆方向の視聴者側を撮影しても良い。
【００３６】
表示制御部１９５は、液晶プロジェクタ１００に備えられた表示部１９６に液晶プロジェクタ１００を操作するための操作画面やスイッチアイコン等の画像を表示させるための制御をするものであり、表示制御を行うマイクロプロセッサなどからなる。また、表示制御部１９５専用のマイクロプロセッサである必要はなく、例えば、ＲＯＭ１１１に記憶されたプログラムによって、ＣＰＵ１１０が表示制御部１９５と同様の処理を実行しても良い。また、表示部１９６は、液晶プロジェクタ１００を操作するための操作画面やスイッチアイコンを表示するものである。表示部１９６は、画像を表示できればどのようなものであっても良い。例えば、液晶ディスプレイ、ＣＲＴディスプレイ、有機ＥＬディスプレイ、ＬＥＤディスプレイであって良い。また、特定のボタンをユーザに認識可能に掲示するために、各ボタンに対応するＬＥＤ等を発光させるものであってもよい。
【００３７】
内部バス１９９は、液晶プロジェクタ１００内部で映像データや各種制御信号などを伝送するためのバスで、図１で示すように各制御ブロックと接続している。
【００３８】
なお、本実施例の画像処理部１４０、液晶制御部１５０、光源制御部１６０、光学系制御部１７０、記録再生部１９１、表示制御部１９５は、これらの各ブロックと同様の処理を行うことのできる単数または複数のマイクロプロセッサあっても良い。または、例えば、ＲＯＭ１１１に記憶されたプログラムによって、ＣＰＵ１１０が各ブロックと同様の処理を実行しても良い。また、本プロジェクタは複数の投射モードに応じて、ＣＰＵ１１０は、画像処理部１４０の各種パラメータの変更や、光源制御部１６０を制御して光源の明るさの強弱を行う。
【００３９】
＜基本動作＞
次に、図４（ａ）、図５（ａ）を用いて、本実施例の液晶プロジェクタ１００の基本動作を説明する。
【００４０】
図５（ａ）は、本実施例の液晶プロジェクタ１００の基本動作の制御を説明するためのフロー図である。図５（ａ）の動作は、基本的にＣＰＵ１１０が、ＲＯＭ１１１に記憶されたプログラムに基づいて、各機能ブロックを制御することにより実行されるものである。図５（ａ）のフロー図は、操作部１１３や不図示のリモコンによりユーザが液晶プロジェクタ１００の電源のオンを指示した時点をスタートとしている。
【００４１】
操作部１１３や図４（ｃ）で示すリモコンによりユーザが液晶プロジェクタ１００の電源のオンを指示すると、ＣＰＵ１１０は、不図示の電源部を制御しプロジェクタ１００の各部に電源供給を開始する。
【００４２】
次に、ＣＰＵ１１０は、ユーザによる操作部１１３やリモコンの操作により選択された表示モードを判定する（Ｓ１００）。本実施例のプロジェクタ１００の表示モードの一つは、画像入力部１３０より入力された映像を表示する「入力画像表示モード」である。また、本実施例のプロジェクタ１００の表示モードの一つは、記録再生部１９１により記録媒体１９２から読み出された静止画データや動画データの画像や映像を表示する「ファイル再生表示モード」である。また、本実施例のプロジェクタ１００の表示モードの一つは、通信部１９３から受信した静止画データや動画データの画像や映像を表示する「ファイル受信表示モード」である。なお、本実施例では、ユーザにより表示モードが選択される場合について説明するが、電源を投入した時点での表示モードは、前回終了時の表示モードになっていてもよく、また、前述のいずれかの表示モードをデフォルトの表示モードとしてもよい。その場合には、Ｓ１００の処理は省略可能である。
【００４３】
ここでは、Ｓ１００で、「入力画像表示モード」が選択されたものとして説明する。「入力画像表示モード」が選択されると、ＣＰＵ１１０は、表示する映像が１つか複数かを表示レイアウト情報から判断する（Ｓ１１０）。この表示レイアウト情報はユーザから指定がない場合は１つの映像信号を表示するシングル表示だが、操作部１１３やリモコンによりユーザがレイアウトをマルチ表示に選択指示を行った場合には表示する端子数に応じて、画像入力部１３０から映像が入力されているか否かを判定する。
【００４４】
まずはＨＤＭＩのシングル表示について説明する。受信回路１３２ａから映像が入力されているか否かを判断する（Ｓ１２０）。入力されていない場合（Ｓ１２０でＮｏ）には、入力が検出されるまで待機し、入力されている場合（Ｓ１２０でＹｅｓ）には、ＣＰＵ１１０は投影処理（Ｓ１５０）を実行する。
【００４５】
ＣＰＵ１１０は投影処理（Ｓ１５０）として、画像入力部１３０より入力された映像を画像処理部１４０に送信する。
【００４６】
次にＨＤＭＩ１とＨＤＭＩ２のマルチ表示について説明する。Ｓ１１０でマルチ表示をユーザが選択していた場合には、受信回路１３２ａと受信回路１３２ｂから映像が入力されているか否かを判断する（Ｓ１３０）。入力されていない場合（Ｓ１３０でＮｏ）には、入力が検出されるまで待機し、入力されている場合には、ＣＰＵ１１０は表示レイアウト情報から表示する映像信号を図６（ａ）や図６（ｂ）や図６（ｃ）や図６（ｄ）のように配置する（Ｓ１４０）。今回はＨＤＭＩ１とＨＤＭＩ２のマルチ表示なので図６（ｂ）と入力映像のレイアウトを決定する。レイアウト決定後、ＣＰＵ１１０は投影処理（Ｓ１５０）として、画像入力部１３０より入力された映像を画像処理部１４０に送信する。
【００４７】
画像処理部１４０はその後、フレーム間引き処理、フレーム補間処理、解像度変換処理、歪み補正処理（キーストン補正処理）、画像の移動や回転などのアフィン変換といった機能を実行させ、処理の施された映像を液晶制御部１５０に送信する。そして、ＣＰＵ１１０は、液晶制御部１５０に、受信した１画面分の画像の赤色（Ｒ）、緑色（Ｇ）、青色（Ｂ）の各色成分の階調レベルに応じた透過率となるように、液晶パネル１５１Ｒ、１５１Ｇ、１５１Ｂの透過率を制御させる。そして、ＣＰＵ１１０は、光源制御部１６０に光源１６１からの光の出力を制御させる。色分離部１６２は、光源１６１から出力された光を、赤色（Ｒ）、緑色（Ｇ）、青色（Ｂ）に分離し、それぞれの光を、液晶パネル１５１Ｒ、１５１Ｇ、１５１Ｂに供給する。液晶パネル１５１Ｒ、１５１Ｇ、１５１Ｂに供給された、各色の光は、各液晶パネルの画素毎に透過する光量が制限される。そして、液晶パネル１５１Ｒ、１５１Ｇ、１５１Ｂを透過した赤色（Ｒ）、緑色（Ｇ）、青色（Ｂ）それぞれの光は、色合成部１６３に供給され再び合成される。そして、色合成部１６３で合成された光は、投影光学系１７１を介して、不図示のスクリーンに投影される。
【００４８】
この投影処理（Ｓ１５０）は、画像を投影している間、１フレームの画像毎に順次、実行されている。
【００４９】
なお、この時にユーザにより投影光学系１７１の操作をする指示が操作部１１３から入力されると、ＣＰＵ１１０は、光学系制御部１７０に、投影画像の焦点を変更したり、光学系の拡大率を変更したりするように投影光学系１７１のアクチュエータを制御させる。
【００５０】
この投影処理（Ｓ１５０）実行中に、ＣＰＵ１１０は、ユーザにより表示モードを切り替える指示が操作部１１３から入力されたか否かを判定する（Ｓ１６０）。ここで、ユーザにより表示モードを切り替える指示が操作部１１３から入力されると（Ｓ１６０でＹｅｓ）、ＣＰＵ１１０は、再びＳ１１０に戻り、表示モードの判定を行う。このとき、ＣＰＵ１１０は、画像処理部１４０に、表示モードを選択させるためのメニュー画面をＯＳＤ画像として送信し、投影中の画像に対して、このＯＳＤ画面を重畳させるように画像処理部１４０を制御する。ユーザは、この投影されたＯＳＤ画面を見ながら、表示モードを選択する。
【００５１】
一方、投影処理（Ｓ１５０）実行中に、ユーザにより表示モードを切り替える指示が操作部１１３から入力されない場合は（Ｓ１６０でＮｏ）、ＣＰＵ１１０は、ユーザにより投影終了の指示が操作部１１３から入力されたか否かを判定する（Ｓ１７０）。ここで、ユーザにより投影終了の指示が操作部１１３から入力された場合には（Ｓ１７０でＹｅｓ）、ＣＰＵ１１０は、プロジェクタ１００の各ブロックに対する電源供給を停止させ、画像投影を終了させる。一方、ユーザにより投影終了の指示が操作部１１３から入力されない場合には（Ｓ１７０でＮｏ）、ＣＰＵ１１０は、Ｓ１２０へ戻り、以降、ユーザにより投影終了の指示が操作部１１３から入力されるまでの間Ｓ１２０からＳ１７０までの処理を繰り返す。
【００５２】
以上のように、本実施例の液晶プロジェクタ１００は、スクリーンに対して画像を投影する。
【００５３】
なお、「ファイル再生表示モード」では、ＣＰＵ１１０は、記録再生部１９１に、記録媒体１９２から静止画データや動画データのファイルリストや各ファイルのサムネイルデータを読み出させ、ＲＡＭ１１２に一時的に記憶する。そして、ＣＰＵ１１０は、ＲＯＭ１１１に記憶されたプログラムに基づいて、ＲＡＭ１１２に一時記憶されたファイルリストに基づく文字画像や各ファイルのサムネイルデータに基づく画像を生成し、画像処理部１４０に送信する。そして、ＣＰＵ１１０は、通常の投影処理（Ｓ１５０）と同様に、画像処理部１４０、液晶制御部１５０、投影制御部１６０を制御する。
【００５４】
次に、投影画面上において、記録媒体１９２に記録された静止画データや動画データにそれぞれ対応する文字や画像を選択する指示が操作部１１３を通して入力される。そうすると、ＣＰＵ１１０は、選択された静止画データや動画データを記録媒体１９２から読み出すように記録再生部１９１を制御する。そして、ＣＰＵ１１０は、読み出された静止画データや動画データをＲＡＭ１１２に一時的に記憶し、ＲＯＭ１１１記憶されたプログラムに基づいて、静止画データや動画データの画像や映像を再生する。
【００５５】
そして、ＣＰＵ１１０は、例えば再生した動画データの映像を順次、画像処理部１４０に送信し、通常の投影処理（Ｓ１５０）と同様に、画像処理部１４０、液晶制御部１５０、投影制御部１６０を制御する。また、静止画データを再生した場合には、再生した画像を画像処理部１４０に送信し、通常の投影処理（Ｓ１３０）と同様に、画像処理部１４０、液晶制御部１５０、投影制御部１６０を制御する。
【００５６】
また、「ファイル受信表示モード」では、ＣＰＵ１１０は、通信部１９３から受信した静止画データや動画データをＲＡＭ１１２に一時的に記憶し、ＲＯＭ１１１記憶されたプログラムに基づいて、静止画データや動画データの画像や映像を再生する。そして、ＣＰＵ１１０は、例えば再生した動画データの映像を順次、画像処理部１４０に送信し、通常の投影処理（Ｓ１５０）と同様に、画像処理部１４０、液晶制御部１５０、投影制御部１６０を制御する。また、静止画データを再生した場合には、再生した画像を画像処理部１４０に送信し、通常の投影処理（Ｓ１５０）と同様に、画像処理部１４０、液晶制御部１５０、投影制御部１６０を制御する。
【００５７】
次にユーザが図４（ｃ）のリモコンを操作し、液晶プロジェクタ１００を起動しＨＤＭＩ１信号を表示し、その後表示をＨＤＭＩ３に切り替えるまで、リモコン操作を受けたＣＰＵ１１０の動作シーケンスについて図５（ｂ）を用いて説明する。液晶プロジェクタ１００はユーザのリモコン操作による電源オンを受け（Ｓ２０１にてＹＥＳ）、システムの初期化処理を行う（Ｓ２０２）。電源オン制御とは液晶プロジェクタ１００の内部ブロックの各種初期化処理である。Ｓ２０２後、前回電源オフ時に選択されていた映像入力端子１３１ａ（ＨＤＭＩ１）を液晶プロジェクタ１００が表示する映像入力端子と選択しバス制御部１３３を切り替える（Ｓ２０３）、その映像入力端子１３１ａと接続している映像受信回路１３２ａは入力されている映像信号を測定する（Ｓ２０４）。ＣＰＵ１１０は映像受信回路１３２ａから入力映像信号情報を取得し。取得した情報を基に画像処理部１４０や表示制御部１９５を制御し拡大縮小処理や台形補正、表示パネルドライバ設定を行い、ＨＤＭＩ１の入力映像を出力する（Ｓ２０５）。以降、選択された映像端子の映像出力処理は他の入力端子でも同様であるため出画処理の説明は省略する。
【００５８】
Ｓ２０５の後に、ユーザ操作によりＨＤＭＩ１から他の映像端子への切り替えが発生した場合（Ｓ２０６でＹｅｓ）、Ｓ２０３に処理を移し選択された入力端子からの映像に切り替える。本実施例ではＨＤＭＩ１を表示後にＨＤＭＩ３に切り替える場合について説明する。１度ＨＤＭＩ１を表示した後、図４（ｃ）のリモコンの「入力」ボタンを１度押下すると表示しているＨＤＭＩ１に図７（ａ）のような入力選択ＯＳＤが重畳して表示する。その様子が図７（ｃ）である。その後「入力」ボタンを連続して押下することで図７（ｃ）→図７（ｄ）→図７（ｅ）と表示を切り替える。ＣＰＵ１１０は、この「入力」ボタンの連続押下を検知し（既出２０６）、Ｓ２０３でＨＤＭＩ３の表示選択処理を行う。具体的には、バス制御１３３を受信回路１３２ｃからの映像に切り替える（既出Ｓ２０３）。切り替え後、受信回路１３２ｃよりＨＤＭＩ３の信号情報を取得する（既出２０４）。Ｓ２０５の出画処理は上述したＨＤＭＩ１表示時と同様であるので省略する。「入力」ボタンの押下をＨＤＭＩ３表示以降も行った場合には、図７（ｆ）のＨＤＭＩ４のシングル表示、図７（ｇ）のＨＤＭＩ１＆ＨＤＭＩ２のマルチ表示、図７（ｈ）のＨＤＭＩ３＆ＨＤＭＩ４のマルチ表示、図７（ｉ）のＨＤＭＩ１−４のクアッド表示に表示を遷移させる。図７（ｉ）で「入力」ボタンを押下すると図７（ｃ）のＨＤＭＩ１に表示が遷移する。
【００５９】
Ｓ２０６でＮｏの場合、非表示信号であるＨＤＭＩ１、ＨＤＭＩ２、ＨＤＭＩ４の信号情報を各受信回路１３２ａ、１３２ｂ、１３２ｄから取得する（Ｓ２０７）。これらの信号情報は図７（ｂ）で示すように入力選択ＯＳＤの各映像端子に信号情報として表示しても良い。Ｓ２０７後、Ｓ２０８にて電源オフをユーザが指示していないかを確認し、電源オフを指示していない場合はＳ２０６の前に移行し、電源オフを指示している場合は電源オフ処理（Ｓ２０９）を行う。
【００６０】
＜特徴的な動作説明＞
本実施例では、図５（ｃ）と図４（ｃ）を用いて、リモコンの「入力」ボタンを操作し、ＨＤＭＩ１信号のシングル表示を表示時にＨＤＭＩ３＆ＨＤＭＩ４のマルチ表示へ切り替える際の、ＣＰＵ１１０の特徴的な動作について説明する。なお、ＨＤＭＩ１、ＨＤＭＩ２、ＨＤＭＩ３、ＨＤＭＩ４には映像信号が入力されているものとし、ＨＤＭＩ１表示後のＣＰＵ１１０の動作シーケンスについて説明する。
【００６１】
図６（ａ）で示すようにＨＤＭＩ１を表示後、ＨＤＭＩ２、ＨＤＭＩ３、ＨＤＭＩ４の信号情報を取得する（Ｓ３０１）。信号情報とは、解像度、周波数、ブランキング期間、また各入力映像に対しての垂直同期信号の位相差である。ここで垂直同期信号の位相差について説明する。ここで言う位相差とは図８（ａ）で示すような垂直同期信号のズレ量である。例えば図８（ａ）ではＨＤＭＩ１−４では同期信号の位相差は全て１００ｕｓｅｃ以内であることが分かる。図８（ｂ）ではＨＤＭＩ１とＨＤＭＩ２の同期信号の位相差は２００ｕｓｅｃ、ＨＤＭＩ３とＨＤＭＩ４の位相差は２．１ｍｓｅｃであることが分かる。図８（ｃ）ではＨＤＭＩ１とＨＤＭＩ２の位相差は１ｍｓｅｃ、ＨＤＭＩ３とＨＤＭＩ４の位相差は１５０ｕｓｅｃであることが分かる。図８（ｄ）ではＨＤＭＩ１とＨＤＭＩ２の位相差が１ｍｓｅｃ、ＨＤＭＩ３とＨＤＭＩ４の位相差が７５０ｕｓｅｃであることが分かる。
【００６２】
本実施例ではこの位相差に応じて入力切り替えのＯＳＤと表示選択の動作を変更する。
【００６３】
Ｓ３０１で信号情報とともに位相差を測定後、測定した位相差が小さいかどうかを判定する（Ｓ３０２）。Ｓ３０２で各位相差が図８（ｄ）で示すようにＨＤＭＩ１とＨＤＭＩ２の位相差とＨＤＭＩ３とＨＤＭＩ４の位相差がどちらも２５０ｕｓｅｃを超えている場合は入力選択で表示するＯＳＤは図７（ａ）のままである（Ｓ３０３）。図８（ａ）で示すようにＨＤＭＩ１とＨＤＭＩ２とＨＤＭＩ３とＨＤＭＩ４の位相差が２５０ｕｓｅｃ以内の場合は図７（ｊ）で示すようにＨＤＭＩ１−４の４つのＨＤＭＩで１つの画面を表示するクアッド表示の選択ＯＳＤがＨＤＭＩ１の下に配置される。図８（ｂ）で示すようにＨＤＭＩ１とＨＤＭＩ２の位相差が２００ｕｓｅｃでＨＤＭＩ３とＨＤＭＩ４の位相差が２．１ｍｓｅｃの場合は図７（ｋ）で示すようにＨＤＭＩ１＆２の２つのＨＤＭＩで１つの画面を表示するマルチ表示の選択ＯＳＤがＨＤＭＩ１の下に配置される。図８（ｃ）で示すようにＨＤＭＩ１とＨＤＭＩ２の位相差が２ｍｓｅｃでＨＤＭＩ３とＨＤＭＩ４の位相差が１５０ｕｓｅｃの場合は図７（ｌ）で示すようにＨＤＭＩ３＆４の２つのＨＤＭＩで１つの画面を表示するマルチ表示の選択ＯＳＤがＨＤＭＩ１の下に配置される。
入力選択用のＯＳＤ画面が決定後（Ｓ３０３、Ｓ３０４の後）、リモコンの「入力」ボタンの押下を検知すると（Ｓ３０５）、ＣＰＵ１１０は図６（ａ）にＳ３０３、Ｓ３０４で決定した入力選択ＯＳＤを重畳して表示する（Ｓ３０６）。この入力選択ＯＳＤ表示状態でリモコンの「入力ボタン」の押下を検知すると（Ｓ３０７）、ＨＤＭＩ１の下に配置されたＯＳＤに紐づいたレイアウトに則って映像表示を図６（ｇ）で示すように入力を切り替える（Ｓ３０８）。
【００６４】
本実施例ではＨＤＭＩ３＆４を表示させたが、同期信号の位相差が図８（ｂ）の場合はＨＤＭＩ１＆２である図６（ｅ）、同期信号の位相差が図８（ａ）の場合はＨＤＭＩ１−４である図６（ｇ）の表示レイアウトに切り替わる。 
【００６５】
また、本実施例では位相差が２５０ｕｓｅｃ以内としているが、その値はシステムによって可変としても良い。また、本実施例では映像入力端子数を４つとしていたが複数であれば良いのでこの限りではない。また、本実施例では同期信号の位相差に応じて入力選択ＯＳＤの表示順番を変更し、切り替え動作も変更していたが、入力選択ＯＳＤの表示順番はそのままで切り替え動作を変更するだけでも良い。また、本実施例ではユーザのリモコン操作をきっかけに入力切り替えを行っていたが、起動時などでは「入力」ボタンの押下を検知せずに入力を切り替えてもよい。その場合、優先度はより多い入力端子で表示する構成を第１優先とし、以降は少ない入力端子で表示する構成で優先度を下げてっても良い。
以上説明したように、本実施例の液晶プロジェクタ１００は、入力信号の同期信号位相差からシングル表示、マルチ表示、クアッド表示を推定することで少ない操作でシングル表示からマルチ表示やクアッド表示に切り替えることができるという効果を実現できる。
【００６６】
以上、本発明の好ましい実施形態について説明したが、本発明はこれらの実施形態に限定されず、その要旨の範囲内で種々の変形及び変更が可能である。
【００６７】
［その他の実施例］
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００６８】
この場合、記憶媒体から読み出されたプログラムコード自体が前述した実施形態の機能を実現することになり、プログラムコード自体及びそのプログラムコードを記憶した記憶媒体は本発明を構成することになる。
【００６９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００７０】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【００７１】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【符号の説明】
【００７２】
液晶プロジェクタ  １００、ＣＰＵ  １１０、ＲＯＭ  １１１、ＲＡＭ  １１２、
操作部  １１３、画像入力部  １３０、画像処理部  １４０、液晶制御部  １５０、
液晶素子  １５１、光源制御部  １６０、光源  １６１、色分離部  １６２、
色合成部  １６３、光学系制御部  １７０、投影光学系  １７１、
記録再生部  １９１、記録媒体  １９２、通信部  １９３、表示制御部  １９５、
表示部  １９６、内部バス  １９９、映像入力端子  １３１、
入力信号受信回路  １３２、バス制御部  １３３
【図１】
2019129471.tif 000003
【図２（ａ）】
2019129471.tif 000004
【図２（ｂ）】
2019129471.tif 000005
【図３（ａ）】
2019129471.tif 000006
【図３（ｂ）】
2019129471.tif 000007
【図３（ｃ）】
2019129471.tif 000008
【図４（ａ）】
2019129471.tif 000009
【図４（ｂ）】
2019129471.tif 000010
【図４（ｃ）】
2019129471.tif 000011
【図５（ａ）】
2019129471.tif 000012
【図５（ｂ）】
2019129471.tif 000013
【図５（ｃ）】
2019129471.tif 000014
【図６（ａ）】
2019129471.tif 000015
【図６（ｂ）】
2019129471.tif 000016
【図６（ｃ）】
2019129471.tif 000017
【図６（ｄ）】
2019129471.tif 000018
【図６（ｅ）】
2019129471.tif 000019
【図６（ｆ）】
2019129471.tif 000020
【図６（ｇ）】
2019129471.tif 000021
【図７（ａ）】
2019129471.tif 000022
【図７（ｂ）】
2019129471.tif 000023
【図７（ｃ）】
2019129471.tif 000024
【図７（ｄ）】
2019129471.tif 000025
【図７（ｅ）】
2019129471.tif 000026
【図７（ｆ）】
2019129471.tif 000027
【図７（ｇ）】
2019129471.tif 000028
【図７（ｈ）】
2019129471.tif 000029
【図７（ｉ）】
2019129471.tif 000030
【図７（ｊ）】
2019129471.tif 000031
【図７（ｋ）】
2019129471.tif 000032
【図７（ｌ）】
2019129471.tif 000033
【図８（ａ）】
2019129471.tif 000034
【図８（ｂ）】
2019129471.tif 000035
【図８（ｃ）】
2019129471.tif 000036
【図８（ｄ）】
2019129471.tif 000037